(57)【特許請求の範囲】
【請求項１】
汚水が循環する水槽の上方位置に設置した索条の巻き出しドラム及び巻き取りドラムと、該巻き出しドラムから巻き取りドラムに掛け渡した索条を水槽内所定深度に浸漬、張架するコーナガイドと、該コーナガイドを昇降可能に吊垂する吊垂支持手段とからなることを特徴とする汚水に含まれる繊維状物質の除去装置。
【請求項２】
吊垂支持手段を、ウインチと、該ウインチから導出した吊下用ロープの外周を覆い、吊垂支持手段と固定側とを接続する伸縮式の剛性を有する管部材とで構成したことを特徴とする請求項１記載の汚水に含まれる繊維状物質の除去装置。
【請求項３】
索条の巻き出し側に、索条の外周を覆う保護管を配設したことを特徴とする請求項１又は２記載の汚水に含まれる繊維状物質の除去装置。
【発明の詳細な説明】
【０００１】
【発明の属する技術分野】
本発明は、汚水に含まれる繊維状物質の除去装置に関し、特に、小規模な汚水処理場に流入する汚水に含まれる毛髪等の繊維状の難分解性物質（本明細書において、単に「繊維状物質」という場合がある。）を簡易な手段にて捕捉、除去するとともに、機高を低く抑えることができるようにした汚水に含まれる繊維状物質の除去装置に関するものである。
【０００２】
【従来の技術】
従来、汚水処理場に流入する汚水には、人糞、厨芥等の塊状の可分解性物質のほか、プラスチック塊、木片、空き缶等の塊状の難分解性物質や毛髪等の繊維状の難分解性物質が含まれているが、特に、小規模な汚水処理場においては、汚水に含まれる物質のうち塊状の難分解性物質を除去するための簡易な除塵手段しか設置されていなかった。
【０００３】
【発明が解決しようとする課題】
この除塵手段としては、汚水処理場に流入する汚水に含まれる物質のうち塊状の難分解性物質を捕捉、除去するとともに、塊状の可分解性物質を粉砕して、汚水と共に処理槽へ導入するように構成したものが主に用いられているが、この除塵手段によっては、毛髪等の繊維状の難分解性物質を捕捉、除去することができず、これらの繊維状の難分解性物質が、処理槽等に設置したあるいは後段の処理におけるセンサーやポンプ等に絡み付き、センサーの誤動作やポンプの処理能力の低下等を引き起こし、汚水処理に支障をきたすという問題があった。
【０００４】
この問題に対処するために、除塵手段のスクリーンにきわめて微細なスクリーン、例えば、目幅２ｍｍ程度のスクリーンを用いることも考えられるが、この場合、除塵手段に難分解性物質と共に人糞、厨芥等の可分解性物質が大量に捕捉され、捕捉されたし渣が除塵手段の内部において腐敗するため、捕捉したし渣を衛生的に処理することが困難であり、また、このような微細なスクリーンを用いても繊維状の難分解性物質を完全には除去することができなかった。
【０００５】
本発明は、上記の従来の汚水処理場の有する問題点に鑑み、汚水に含まれる毛髪等の繊維状の難分解性物質を、機高の低い、簡易な機構の装置により、効率的に捕捉、除去し、安定した汚水処理を行うことができるようにした汚水に含まれる繊維状物質の除去装置を提供することを目的とする。
【０００６】
【課題を解決するための手段】
上記目的を達成するため、本発明の汚水に含まれる繊維状物質の除去装置は、汚水が循環する水槽の上方位置に設置した索条の巻き出しドラム及び巻き取りドラムと、該巻き出しドラムから巻き取りドラムに掛け渡した索条を水槽内所定深度に浸漬、張架するコーナガイドと、該コーナガイドを昇降可能に吊垂する吊垂支持手段とからなることを特徴とする。
【０００７】
この汚水に含まれる繊維状物質の除去装置は、汚水が循環する水槽の上方位置に設置した巻き出しドラムから汚水中に浸すコーナガイドを介して巻き取りドラムに、水槽内に浸漬、張架するように掛け渡した索条に、水槽内を回流する汚水中に含まれる繊維状物質を引っ掛け、索条を間欠的に、又は連続的に巻き出しドラムから巻き出しながら、巻き取りドラムに巻き取ることによリ、索条に引っ掛かった繊維状物質を索条とともに水面上に引き上げ、巻き取り汚水中から除去する。
また、保守等の際には、吊垂支持手段によりコーナガイドを水面上に引き上げることができるので、機高が高くならず、コンパクトな装置構成とすることができる。
【０００８】
この場合において、吊垂支持手段を、ウインチと、該ウインチから導出した吊下用ロープの外周を覆い、吊垂支持手段と固定側とを接続する伸縮式の剛性を有する管部材とで構成することができる。
【０００９】
これにより、ウインチから導出した吊下用ロープに、水槽内を回流する汚水中に含まれる繊維状物質が引っ掛かることを防止することができるとともに、水槽内を回流する汚水の水流によって、コーナガイドが移動することを防止し、索条を水槽内の所定の位置に安定して浸漬、張架することができる。
【００１０】
また、索条の巻き出し側に、索条の外周を覆う保護管を配設することができる。
【００１１】
これにより、索条の巻き出し側に、水槽内を回流する汚水中に含まれる繊維状物質が引っ掛かることを防止することができる。
【００１２】
【発明の実施の形態】
以下、本発明の汚水に含まれる繊維状物質の除去装置の実施の形態を図面に基づいて説明する。
【００１３】
図１に、本発明の汚水に含まれる繊維状物質の除去装置の第１実施例を示す。この汚水に含まれる繊維状物質の除去装置は、比較的小規模な汚水処理場の汚水処理設備に用いられる処理槽に好適に使用することができる。
このような比較的小規模な汚水処理場の汚水処理設備は、家庭等から排出された種々の物質、すなわち、人糞、厨芥等の塊状の可分解性物質のほか、プラスチック塊、木片、空き缶等の塊状の難分解性物質や毛髪等の繊維状の難分解性物質を含む汚水を生物処理するためのもので、汚水処理場に導入された汚水は、スクリーンを備えた除塵装置にて、プラスチック塊、木片、空き缶等の塊状の難分解性物質が捕捉、除去されるとともに、汚水に含まれる人糞、厨芥等の塊状の可分解性物質は、粉砕され、汚水と共に、処理槽１に導入され、生物処理されるように構成されている。
【００１４】
汚水が導入される処理槽１は、汚水が導入されることにより自然に又は攪拌機や曝気機等により強制的に水流、すなわち、回流が発生するように構成されている。
【００１５】
この処理槽１に導入された汚水には、破砕された人糞、厨芥等の可分解性物質のほかに、毛髪等の繊維状の難分解性物質が含まれており、この繊維状物質が、処理槽１に設置したセンサーやポンプ等に絡み付き、センサーの誤動作やポンプの処理能力の低下等を引き起こし、汚水処理に支障をきたす要因となっていた。
【００１６】
この繊維状物質を捕捉、除去するために、処理槽１に、繊維状物質の除去装置２を設置する。
この繊維状物質の除去装置２は、汚水が流れる処理槽１の上方位置の固定側１０に、索条３の巻き出しドラム２１と、巻き取りドラム２２とを処理槽１の上下流方向に対峙して配設し、さらに、この巻き出しドラム２１から巻き取りドラム２２に掛け渡した索条３を処理槽１の汚水中に浸漬、張架するために処理槽１内にコーナガイド２３を配設して構成する。
そして、巻き取りドラム２２の軸を、モータ等の駆動源により、間欠的に、又は連続的に回転駆動することにより、索条３を巻き出しドラム２１から巻き出しながら、巻き取りドラム２２に巻き取り、索条３に引っ掛かった繊維状物質を水面上に引き上げ、汚水中から除去するようにする。
この場合、巻き出しドラム２１にはブレーキを付設し、索条３に、常に所要の緊張力を与えて汚水中においても索条３が緊張状態を保つようにする。
また、索条３が正確にコーナガイド２３へ導かれるように、コーナガイド２３の上方位置の固定側１０に、ガイドシーブ２７を配設する。
【００１７】
この場合において、索条３には、ワイヤーロープ、ピアノ線、合成樹脂糸等の可撓性の線材を使用することができるが、ワイヤーロープ、ピアノ線等の不燃性の線材を使用した場合には、巻き取りドラム２２に巻き取られた索条３を汚水中から除去した毛髪等の繊維状物質と共に焼却処理した後、必要に応じて、再使用することができ、一方、合成樹脂糸等の可燃性の線材を使用した場合には、巻き取りドラム２２に巻き取られた索条３を汚水中から除去した毛髪等の繊維状物質と共に焼却処理することができる。
【００１８】
また、索条３には、索条３に引っ掛かった繊維状物質の離脱を防止しながら、繊維状物質を索条３を繰り出すことにより水面上に引き上げることができるように、所定の間隔をあけて多数の節３１を形成するようにする。
この節３１は、例えば、索条３を結ぶことにより形成するほか、索条３に突設した突起により構成することができる。
【００１９】
コーナガイド２３は、本実施例においては、シーブ２３Ｓで以て構成するようにしているが、このほか、図２〜図４に示す、本発明の汚水に含まれる繊維状物質の除去装置の第２実施例〜第４実施例のように、半円弧形に屈曲したパイプ２３Ｐで以て構成することもできる。
そして、シーブ２３Ｓ又はパイプ２３Ｐよりなるコーナガイド２３は、索条３を、巻き出しドラム２１から巻き出し、巻き取りドラム２２に巻き取る際に、索条３にかかる張力によって浮上しない重量を有するように設定する。
【００２０】
コーナガイド２３は、吊垂支持手段２４によって、処理槽１の固定側１０に昇降可能に吊垂するようにする。
図１に示す第１実施例においては、吊垂支持手段２４を、ウインチ２４と、ウインチ２４Ｄから導出した吊下用ロープ２４Ｒの外周を覆う伸縮式（テレスコピック式）の剛性を有する管部材２４Ｐとで構成し、シーブ２３Ｓのシーブフレーム２３Ｆに、処理槽１の上方位置の固定側１０に配設したウインチ２４Ｄから導出した吊下用ロープ２４Ｒの先端を締結し、ウインチ２４Ｄを駆動することにより、吊下用ロープ２４Ｒを介してコーナガイド２３を昇降可能に吊垂するようにするとともに、管部材２４Ｐにより、吊垂支持手段２４と固定側１０とを接続するようにする。
この場合、伸縮式の管部材２４Ｐは、端部に抜け止め用のフランジを形成し、それ自体が回転しないように断面形状を下方ほど縮小する矩形に形成した複数本の角管を、順次嵌挿して構成するようにする。
そして、この伸縮式の管部材２４Ｐの長さは、ウインチ２４Ｄを駆動することにより、伸縮式の管部材２４Ｐを最も縮小させた時、作業者が、処理槽１の上から索条３をコーナガイド２３に掛け渡す等の保守作業を簡易に行うことができように、また、最も伸長させた時、コーナガイド２３が処理槽１内の所定深度位置に設置されるように設定するようにする。
【００２１】
これにより、ウインチ２４Ｄから導出した吊下用ロープ２４Ｒに、処理槽１内を回流する汚水中に含まれる繊維状物質が引っ掛かることを防止することができるとともに、処理槽１内を回流する汚水の水流によって、コーナガイド２３が揺動、回転等の移動をすることを防止し、索条３を処理槽１内の所定の位置に、安定して浸漬、張架することができるものとなる。
【００２２】
この伸縮式の管部材２４Ｐは、コーナガイド２３を、シーブ２３Ｓで以て構成した場合のほか、図３〜図４に示す、本発明の汚水に含まれる繊維状物質の除去装置の第３実施例〜第４実施例のように、半円弧形に屈曲したパイプ２３Ｐで以て構成した場合にも適用することができる。
【００２３】
また、コーナガイド２３自体が、揺動、回転等の移動をしにくい形状や構造の場合には、吊垂支持手段２４を、図２に示す、本発明の汚水に含まれる繊維状物質の除去装置の第２実施例のように、ウインチ２４Ｄ単独で構成することもできる。
【００２４】
さらに、図２〜図４に示す、本発明の汚水に含まれる繊維状物質の除去装置の第２実施例〜第４実施例のように、巻き出しドラム２１と巻き取りドラム２２の間に架け渡される索条３の巻き出し側３Ａに、索条３の外周を覆う保護管２５を配設することができる。
保護管２５は、図２〜図３に示すように、軟質の合成樹脂やゴム製のホースで以て構成し、その一端を処理槽１の上方位置の固定側１０、例えば、処理槽の蓋等に固定し、他端をコーナガイド２３を構成する半円弧形に屈曲したパイプ２３Ｐに接続するようにする。
このほか、保護管２５は、図４に示すように、伸縮式の管部材２４Ｐと同様、端部に抜け止め用のフランジを形成し、それ自体が回転しないように断面形状を下方ほど縮小する矩形に形成した複数本の角管からなる管部材で以て構成することもできる。
なお、保護管２５は、その外径を、処理槽１内を回流する汚水中に含まれる繊維状物質が引っ掛かることがない程度以上に設定するようにする。
これにより、保護管２５は、コーナガイド２３の昇降に対応して、自由に屈曲したり、伸縮することができ、コーナガイド２３の昇降を行う際の支障になることがなく、索条３の巻き出し側３Ａに、処理槽１内を回流する汚水中に含まれる繊維状物質が引っ掛かることを防止することができ、索条３を、コーナガイド２３を介して巻き取りドラム２２に向けて円滑に送り出すことができるものとなる。
【００２５】
以下、上記の汚水に含まれる繊維状物質の除去装置の動作について説明する。まず、巻き出しドラム２１に巻収した索条３を、ガイドシーブ２７を介してコーナガイド２３に掛けた後、巻き取りドラム２２に巻き取られるように張架する。
なお、この索条３の巻き出し側３Ａに保護管２５が配設されている場合には、索条３が保護管２５内を挿通するようにする。
この状態で、ウインチ２４Ｄを駆動することにより、吊下用ロープ２４Ｒを介してコーナガイド２３を降下させて、索条３を、巻き出しドラム２１から汚水中に浸したコーナガイド２３を介して巻き取りドラム２２に掛け渡すことにより、索条３の巻き取り側３Ｂを処理槽１内に浸漬し、汚水中に晒すようにする。
【００２６】
これにより、処理槽１内に浸漬、張架するように掛け渡した索条３の巻き取り側３Ｂに、処理槽１内を回流する汚水中に含まれる繊維状物質を引っ掛け、巻き取りドラム２２を駆動することにより、索条３を間欠的に、又は連続的に巻き出しドラム２１から巻き出しながら、巻き取りドラム２２に巻き取ることによリ、索条３に引っ掛かった繊維状物質を索条３とともに水面上に引き上げ、巻き取り汚水中から除去することができる。
このとき、索条３には、多数の節３１が形成されているので、この節３１により、繊維状物質の引っ掛かりが促進されるとともに、引き上げ時の繊維状物質の落下を防止することができる。
【００２７】
このようにして、巻き出しドラム２１に巻収されている索条３の全長を巻き出した後、巻き取りドラム２２に巻き取った索条３を、繊維状物質と共に焼却処理等により処理するようにする。
【００２８】
そして、新しい索条３を張架する場合や索条３の巻き出し等に何らかのトラブルが発生した場合には、ウインチ２４Ｄを駆動することにより、コーナガイド２３を水面上の作業を行いやすい位置まで引き上げ、所要の作業を行うようにする。
その後、ウインチ２４Ｄを駆動することにより、コーナガイド２３を下降させ、処理槽１内の所定深度位置に設置するようにする。
【００２９】
【発明の効果】
本発明の汚水に含まれる繊維状物質の除去装置によれば、汚水が循環する水槽の上方位置に設置した巻き出しドラムから汚水中に浸すコーナガイドを介して巻き取りドラムに、水槽内に浸漬、張架するように掛け渡した索条に、水槽内を回流する汚水中に含まれる繊維状物質を引っ掛け、索条を間欠的に、又は連続的に巻き出しドラムから巻き出しながら、巻き取りドラムに巻き取ることによリ、索条に引っ掛かった繊維状物質を索条とともに水面上に引き上げ、巻き取り汚水中から除去することができ、これにより、繊維状物質を、効率的に捕捉、除去し、安定した汚水処理を行うことができる。
また、保守等の際には、吊垂支持手段によりコーナガイドを水面上に引き上げることができるので、機高が高くならず、コンパクトな装置構成とすることができる。
【００３０】
また、吊垂支持手段を、ウインチと、該ウインチから導出した吊下用ロープの外周を覆い、吊垂支持手段と固定側とを接続する伸縮式の剛性を有する管部材とで構成することにより、ウインチから導出した吊下用ロープに、水槽内を回流する汚水中に含まれる繊維状物質が引っ掛かることを防止することができ、装置の保守を簡易に行うことができるとともに、水槽内を回流する汚水の水流によって、コーナガイドが移動することを防止し、索条を水槽内の所定の位置に安定して浸漬、張架して、繊維状物質を、効率的に捕捉、除去し、安定した汚水処理を行うことができる。
【００３１】
また、索条の巻き出し側に、索条の外周を覆う保護管を配設することにより、索条の巻き出し側に、水槽内を回流する汚水中に含まれる繊維状物質が引っ掛かることを防止することができ、索条を、コーナガイドを介して巻き取りドラムに向けて円滑に送り出すことができる。
【図面の簡単な説明】
【図１】本発明の汚水に含まれる繊維状物質の除去装置の第１実施例を示し、（Ａ）は正面図、（Ｂ）は要部の側面図である。
【図２】本発明の汚水に含まれる繊維状物質の除去装置の第２実施例を示す正面図である。
【図３】本発明の汚水に含まれる繊維状物質の除去装置の第２実施例を示す正面図である。
【図４】本発明の汚水に含まれる繊維状物質の除去装置の第２実施例を示す正面図である。
【符号の説明】
１    処理槽（水槽）
２    繊維状物質の除去装置
２１  巻き出しドラム
２２  巻き取りドラム
２３  コーナガイド
２３Ｓ  シーブ
２３Ｐ  半円弧形パイプ
２４  吊垂支持手段
２４Ｄ  ウインチ
２４Ｒ  吊下用ロープ
２４Ｐ  管部材
２５  保護管
３    索条
３１  節
【図１】
0003703286.tif 000002
【図２】
0003703286.tif 000003
【図３】
0003703286.tif 000004
【図４】
0003703286.tif 000005